(57)【要約】【課題】表示部に備えられるタッチパネルとカバーとの隙間の寸法を適正範囲内に収めることができる、入力表示装置を提供する。【解決手段】タッチパネル３００を備える表示部３０５は、付勢部材３０３により、パネルカバー２０に向けて付勢される。付勢部材３０３は、板部３３０および延出部３６０を一体的に有している。板部３３０は、表示部３０５の操作面３０７Ｃと反対側の裏面に対して間隔を空けて配置される。延出部３６０は、板部３３０からＡＡ−ＢＢ方向に延出している。延出部３６０の先端部３６０Ｅは、表示部３０５をパネルカバー２０に向けて付勢する。延出部３６０の変形により、表示部３０５およびパネルカバー２０の各寸法誤差を吸収することができる。【選択図】図１０
2014026334.tif 000002
【特許請求の範囲】
【請求項１】
タッチ操作される操作面を有するタッチパネルを備える表示部と、
枠部を有し、前記枠部により形成される開口から前記操作面の一部が露出するように配置されたカバーと、
前記表示部を前記カバーに向けて付勢する付勢部材とを含み、
前記付勢部材は、前記表示部の前記操作面と反対側の裏面に対して間隔を空けて配置される板状の板部と、前記板部から第１方向に延出し、前記第１方向の先端部で前記表示部を前記カバーに向けて付勢する延出部とを一体的に有している、入力表示装置。
【請求項２】
前記表示部の前記裏面の周縁部には、前記延出部の前記先端部が入り込む凹部が形成されている、請求項１に記載の入力表示装置。
【請求項３】
前記付勢部材は、板金からなり、
前記延出部は、前記板金が有する弾性により、前記先端部で前記表示部を弾性的に付勢する、請求項１または２に記載の入力表示装置。
【請求項４】
前記延出部の前記第１方向の基端部は、前記延出部の前記先端部よりも前記第１方向と直交する第２方向において幅広に形成されている、請求項１〜３のいずれか一項に記載の入力表示装置。
【請求項５】
前記付勢部材は、前記板部と一体的に形成され、通常状態で前記表示部の前記裏面と非接触であり、前記表示部が撓み変形した状態で、前記表示部の前記裏面に当接する当接部を有している、請求項１〜４のいずれか一項に記載の入力表示装置。
【請求項６】
前記当接部は、複数設けられており、前記表示部の前記裏面の中央部およびその周辺部にそれぞれ対向して配置されている、請求項５に記載の入力表示装置。
【請求項７】
前記付勢部材は、前記板部と一体的に形成され、前記カバーに係止される係止部と、前記板部と一体的に形成され、前記カバーにねじ込まれるねじが挿通されるねじ挿通部とを有している、請求項１〜６のいずれか一項に記載の入力表示装置。
【請求項８】
前記カバーは、前記表示部と対向する位置決め面を有し、
前記表示部は、画像を表示する表示パネルと、前記表示パネルに対して前記カバー側に設けられて、前記表示パネルに表示される画像を透過させ、前記表示パネル側と反対側の面が前記操作面をなす平板状の前記タッチパネルと、前記タッチパネルを保持し、前記位置決め面に当接する位置決め部を有する保持フレームとを備えている、請求項１〜７のいずれか一項に記載の入力表示装置。
【請求項９】
本体と、
前記本体に取り付けられ、情報の表示および入力のための請求項１〜８のいずれか一項に記載の入力表示装置とを備え、画像処理を行う画像処理装置。
【発明の詳細な説明】
【技術分野】
【０００１】
本発明は、タッチパネルを備える入力表示装置に関する。
【背景技術】
【０００２】
タッチパネルを備える入力表示装置は、プリンタなどの電子機器に広く用いられている。
【０００３】
タッチパネルは、特許文献１に開示されているように、表示パネルの表示面側に配置されている。タッチパネルは、表示パネルの表示面に表示されるキーなどの画像を透過させる。タッチパネルを透過して表示されるキーが操作者の指で押されると、その押された位置に応じた信号がタッチパネルから出力される。入力表示装置の制御部により、タッチパネルから出力される信号に基づいて、操作者の指で押されたキーが特定され、そのキー操作に応じた指示が電子機器に入力される。
【先行技術文献】
【特許文献】
【０００４】
【特許文献１】特開２００６−１６３７４２号公報
【発明の概要】
【発明が解決しようとする課題】
【０００５】
ところで、タッチパネルの表面の周縁部をパネルカバーによって覆う構成が考えられる。この構成では、タッチパネルとパネルカバーとの隙間の寸法の管理が重要となる。タッチパネルとパネルカバーとの隙間が大きいと、外部からタッチパネルとパネルカバーとの間に塵埃が進入するという問題が生じる。一方、タッチパネルとパネルカバーとの隙間が小さいと、タッチパネルの表面がパネルカバーによって押圧され、タッチパネルから誤検出信号が出力されるおそれがある。
【０００６】
しかしながら、タッチパネルおよびパネルカバーが寸法誤差を有するため、タッチパネルとパネルカバーとの隙間の寸法を適正範囲内に収めることは困難である。
【０００７】
本発明の目的は、表示部に備えられるタッチパネルとカバーとの隙間の寸法を適正範囲内に収めることができる、入力表示装置を提供することである。
【課題を解決するための手段】
【０００８】
前記の目的を達成するため、本発明の一の局面に係る入力表示装置は、タッチ操作される操作面を有するタッチパネルを備える表示部と、枠部を有し、前記枠部により形成される開口から前記操作面の一部が露出するように配置されたカバーと、前記表示部を前記カバーに向けて付勢する付勢部材とを含み、前記付勢部材は、前記表示部の前記操作面と反対側の裏面に対して間隔を空けて配置される板状の板部と、前記板部から第１方向に延出し、前記第１方向の先端部で前記表示部を前記カバーに向けて付勢する延出部とを一体的に有している。
【０００９】
この構成によれば、タッチパネルを備える表示部は、付勢部材により、カバーに向けて付勢される。付勢部材は、板部および延出部を一体的に有している。板部は、表示部の操作面と反対側の裏面に対して間隔を空けて配置される。延出部は、板部から第１方向に延出している。延出部の先端部は、表示部をカバーに向けて付勢する。
【００１０】
延出部の変形により、表示部およびカバーの各寸法誤差を吸収することができる。よって、タッチパネルとカバーとの隙間の寸法を適正範囲内に収めることができる。その結果、タッチパネルとカバーとの間に塵埃が進入することを抑制できる。また、タッチパネルの表面がカバーによって付勢されることを抑制できる。
【００１１】
延出部と板部とが別体である構成では、板部に対する延出部の取付誤差などにより、延出部の先端部が表示部を付勢する力にばらつきが生じる。延出部が板部と一体をなしているので、そのような取付誤差などに起因する付勢力のばらつきを抑制することができる。その結果、タッチパネルとカバーとの隙間の寸法を適正範囲内に良好に収めることができる。
【００１２】
表示部の裏面の周縁部には、延出部の先端部が入り込む凹部が形成されていることが好ましい。
【００１３】
この構成によれば、延出部の先端部が凹部に入り込むことにより、延出部の先端部を表示部の裏面における一定位置に当接させることができる。また、延出部の先端部が表示部を付勢するときに、延出部の先端部が表示部の裏面上で移動することを抑制できる。その結果、延出部の先端部により、表示部の一定位置を安定して付勢することができる。
【００１４】
また、通常、タッチパネルの操作面の周縁部は、操作者の指などによる押圧に対して反応しない。そのため、表示部の裏面の周縁部が延出部の先端部で付勢されることにより、その付勢によるタッチパネルの誤作動を抑制することができる。
【００１５】
付勢部材は、板金からなり、延出部は、板金が有する弾性により、先端部で表示部を弾性的に付勢することが好ましい。
【００１６】
この構成によれば、延出部の弾性変形により、表示部およびカバーの各寸法誤差を吸収することができる。
【００１７】
延出部の第１方向の基端部は、延出部の先端部よりも第１方向と直交する第２方向において幅広に形成されていることが好ましい。
【００１８】
これにより、延出部の基端部に大きな強度を持たせることができる。その結果、延出部の基端部が折れ曲がることを抑制できる。
【００１９】
付勢部材は、通常状態で表示部の裏面と非接触であり、表示部が撓み変形した状態で、表示部の裏面に当接する当接部を有していることが好ましい。
【００２０】
この構成によれば、表示部に大きな負荷が加えられ、表示部が撓み変形したときに、表示部の裏面が当接部に当接することにより、表示部がそれ以上に撓み変形することを抑制できる。
【００２１】
当接部は、複数設けられていてもよい。この場合、当接部は、表示部の裏面の中央部およびその周辺部にそれぞれ対向して配置されていることが好ましい。
【００２２】
この構成によれば、表示部の中央部に大きな負荷が加えられ、表示部の中央部が撓み変形したときには、表示部の裏面の中央部が当接部に当接する。これにより、表示部の中央部のそれ以上の撓み変形を抑制できる。また、表示部の周辺部に大きな負荷が加えられ、表示部の周辺部が撓み変形したときには、表示部の裏面の周辺部が当接部に当接する。これにより、表示部の周辺部のそれ以上の撓み変形を抑制できる。その結果、表示部の全域における撓み変形を抑制できる。
【００２３】
付勢部材は、係止部およびねじ挿通部を板部と一体的に有していてもよい。係止部は、カバーに係止される。ねじ挿通部は、カバーにねじ込まれるねじが挿通される。
【００２４】
この構成によれば、係止部がカバーに係止されることにより、付勢部材をカバーに対して位置決めすることができる。そして、ねじ挿通部に挿通されたねじがカバーにねじ込まれることにより、付勢部材をカバーに対して位置決めされた状態で固定することができる。
【００２５】
カバーは、表示部と対向する位置決め面を有していることが好ましい。一方、表示部は、画像を表示する表示パネルと、タッチパネルを保持する保持フレームとを備え、保持フレームは、位置決め面に当接する位置決め部を有していることが好ましい。
【００２６】
この構成によれば、保持フレームの位置決め部がカバーの位置決め面に当接されるので、その当接によるカバーの変形を抑制することができる。そのため、タッチパネルとカバーとの隙間の寸法を適正範囲内に一層良好に収めることができる。
【００２７】
本発明の他の局面に係る画像処理装置は、本体と、前記本体に取り付けられ、情報の表示および入力のための入力表示装置とを備える。入力表示装置は、前述の入力表示装置である。
【００２８】
よって、この画像処理装置では、前述の入力表示装置に関して述べた作用効果と同様の作用効果を奏することができる。
【発明の効果】
【００２９】
本発明によれば、タッチパネルとカバーとの隙間の寸法を適正範囲内に収めることができる。その結果、タッチパネルとカバーとの間に塵埃が進入することを抑制できる。また、タッチパネルの表面がカバーによって付勢されることを抑制できる。
【図面の簡単な説明】
【００３０】
【図１】図１は、本発明の一実施形態に係る操作パネル１０が備えられた複合機１の斜視図であり、ＡＤＦ７が閉じられた状態を示す。
【図２】図２は、前記複合機１の斜視図であり、前記ＡＤＦ７が開かれた状態を示す。
【図３】図３は、前記操作パネル１０の斜視図である。
【図４】図４は、前記操作パネル１０のタッチパネル部３０の図３におけるＣＣ側から見た分解斜視図を示す。
【図５】図５は、前記タッチパネル部３０の図３におけるＤＤ側から見た分解斜視図を示す。
【図６】図６は、前記操作パネル１０のタッチキー部４０の図３におけるＣＣ側から見た分解斜視図を示す。
【図７】図７は、前記操作パネル１０のＮＦＣ部５０の図３におけるＣＣ側から見た分解斜視図を示す。
【図８】図８は、前記操作パネル１０の平面図であり、図３に示すパネルプレート１４が外された状態を示す。
【図９】図９は、パネルカバー２０の内面の斜視図である。
【図１０】図１０は、前記タッチパネル部３０の断面図である。
【図１１】図１１は、ＬＣＤ３０２の裏面の斜視図である。
【図１２】図１２は、付勢部材３０３の斜視図である。
【図１３】図１３は、前記ＬＣＤ３０２の裏面に前記付勢部材３０３が当接した状態を示す斜視図である。
【図１４】図１４は、前記タッチパネル部３０の内側の斜視図である。
【図１５】図１５は、前記パネルカバー２０のＦＦ側端部のＣＣ側から見た図である。
【図１６】図１６は、前記操作パネル１０のＦＦ側端部のＣＣ側から見た図であり、パネルプレート１４が外された状態を示す。
【図１７】図１７は、前記タッチキー部４０の断面図であり、図３に示すパネルプレート１４が外された状態を示す。
【図１８】図１８は、前記ＮＦＣ部５０の断面図である。
【図１９】図１９は、前記操作パネル１０の内側の斜視図であり、接地構造を示す。
【図２０】図２０は、前記パネルカバー２０を装置本体６に取り付ける過程を示す斜視図である。
【発明を実施するための形態】
【００３１】
以下では、本発明の実施の形態について、添付図面を参照しつつ詳細に説明する。
【００３２】
＜複合機＞
【００３３】
図１および図２に示されるように、複合機１は、プリンタ機能およびスキャナ機能を有している。プリンタ機能は、画像データに基づいて、用紙などのシートに画像を形成する機能である。スキャナ機能は、原稿の画像を読み取る機能である。また、複合機１は、公衆電話回線を介して画像データを送受信するファクシミリ機能を有していてもよい。
【００３４】
なお、複合機１を平面上に載置した状態で、そのイメージスキャナを正面側から見て、複合機１の前側、後側、左側、右側、上側および下側を規定する。複合機１の操作パネル１０が設けられる側、及びその反対側が、各々、複合機１の前側、及び後側である。複合機１のＡＤＦ７が設けられる側、及びその反対側が、複合機１の上側、及び下側である。複合機１の仕切部９が設けられる側、及びその反対側が、複合機１の左側、及び右側である。図１以降の各図では、図面の理解を助けるために、その規定された方向を矢印で示す。
【００３５】
複合機１は、プリンタ機能を実現する画像形成装置２と、スキャナ機能を実現する画像読取装置３とを備えている。
【００３６】
＜画像形成装置＞
【００３７】
画像形成装置２は、画像読取装置３の下方に設けられている。画像形成装置２は、供給カセット４および排出トレイ５を備えている。供給カセット４は、画像形成装置２の最下部に設けられている。供給カセット４は、複数枚のシートを積層状態で収容する。本実施形態において画像形成装置２は、電子写真方式が採用されている。電子写真方式では、供給カセット４から搬送されるシートにトナー像が転写および定着されることにより、シートに画像が形成される。排出トレイ５は、画像形成装置２の上面に形成されている。画像形成装置２内で画像が形成されたシートは、画像形成装置２内から排出トレイ５上に排出される。
【００３８】
＜画像読取装置＞
【００３９】
画像読取装置３は、装置本体６、ＡＤＦ（Auto Document Feeder）７、コンタクトガラス８、仕切部９および非図示のＣＩＳ（Contact Image Sensor）ユニットを備えている。
【００４０】
ＡＤＦ７の後端部は、ヒンジ部材７Ａを介して、装置本体６の後端部に連結されている。ＡＤＦ７は、ヒンジ部材７Ａを支点として、図１に示される閉位置と図２に示される開位置とに変位可能である。ＡＤＦ７は、閉位置において、装置本体６の上面に覆い被さる。ＡＤＦ７は、開位置において、装置本体６に対して前側が持ち上がって展開し、装置本体６の上面を開放する。
【００４１】
コンタクトガラス８は、図２に示されるように、装置本体６の上面に配置されている。コンタクトガラス８は、左右方向に長い矩形状の透明なガラス板からなる。コンタクトガラス８は、水平姿勢で配置されている。
【００４２】
仕切部９は、コンタクトガラス８の左端部上に配置されている。仕切部９は、左下がりに傾斜した傾斜面を有する断面略三角形状をなしている。仕切部９は、コンタクトガラス８の前後方向の全幅にわたって延びている。コンタクトガラス８の上面は、仕切部９の右側にコンタクトガラス８の右端縁と仕切部９との間の原稿載置部８Ａを備える。原稿載置部８Ａは、原稿を支持するように構成されている。コンタクトガラス８の上面は、仕切部９の左側にコンタクトガラス８の左端縁と仕切部９との間の原稿接触部８Ｂを備える。仕切部９は、原稿載置部８Ａにより支持される原稿の左端部に当接可能に設けられている。
【００４３】
ＣＩＳユニットは、コンタクトガラス８の下方に、左右方向に往復移動可能に設けられている。ＣＩＳユニットの内部には、たとえば、ＬＥＤ光源、レンズおよびイメージセンサなどが配置されている。ＣＩＳユニットは、原稿載置部８Ａにより支持される原稿の画像を読み取るために設けられている。
【００４４】
画像読取装置３では、フラットベッド方式により、原稿の画像を読み取ることができる。
【００４５】
フラットベット方式による画像の読み取りの際には、ＡＤＦ７が開位置に変位される。これにより、原稿載置部８Ａが露出する。この露出した原稿載置部８Ａ上に、原稿が読取対象の面を原稿載置部８Ａ側に向けて載置される。その後、ＡＤＦ７が閉位置に変位される。そして、ＣＩＳユニットが待機位置から右方に一定速度で移動されながら、ＣＩＳユニットから原稿載置部８Ａ上の原稿に光が照射される。原稿での反射光がＣＩＳユニットのイメージセンサに受けられることにより、原稿に形成されている画像の読み取りが達成される。
【００４６】
また、画像読取装置３では、ＡＤＦ方式により、シート状の原稿の画像を読み取ることができる。
【００４７】
ＡＤＦ方式による画像の読み取りの際には、ＣＩＳユニットが原稿接触部８Ｂの下方に移動され、その位置に固定的に配置される。また、ＡＤＦ方式による画像の読み取りの際には、ＡＤＦ７が使用される。ＡＤＦ７による原稿は、その搬送の途中で、原稿接触部８Ｂに接触しつつ移動する。このとき、ＣＩＳユニットから原稿接触部８Ｂに接触している原稿に光が照射される。原稿での反射光がＣＩＳユニットのイメージセンサに受けられることにより、原稿に形成されている画像の読み取りが達成される。
【００４８】
＜操作パネル＞
【００４９】
複合機１は、操作パネル１０を備えている。
【００５０】
入力表示装置の一例としての操作パネル１０は、画像読取装置３の装置本体６の上面の前端部に配置されている。操作パネル１０は、情報の表示および入力のためのパネルである。操作パネル１０は装置本体６に取り付けられている。操作パネル１０は、図１、図２および図３に示されるように、タッチパネル部３０、タッチキー部４０およびＮＦＣ（Near Field Communication）部５０を備えている。
【００５１】
タッチパネル部３０は、操作パネル１０における左右方向の中央部に配置されている。タッチパネル部３０は、使用者により、各種設定のために操作される。また、タッチパネル部３０は、その設定された内容などの情報を表示する。
【００５２】
タッチキー部４０は、タッチパネル部３０の右側に配置されている。タッチキー部４０は、使用者により、各種設定のために操作される。
【００５３】
ＮＦＣ部５０は、操作パネル１０における左右方向の中央よりも左側に片寄った位置である、タッチパネル部３０の左側に配置されている。ＮＦＣ部５０は、たとえば、非接触ＩＣカードとの間で無線による双方向通信を行うことができる。
【００５４】
操作パネル１０は、図４、図５、図６および図７に示されるように、タッチパネル部３０、タッチキー部４０およびＮＦＣ部５０に共通に用いられる部材として、パネルカバー２０、パネルプレート１４、パネルフロントカバー１５および第１両面テープ１６を備えている。
【００５５】
＜パネルカバー＞
【００５６】
カバーの一例としてのパネルカバー２０は、図８および図９に示されるように、平面視で左右方向に延びる矩形状をなしている。パネルカバー２０は、上端部２０Ｔ、本体部２０Ｓ、前側部２０Ｆ、左側部２０Ｌおよび右側部２０Ｒを一体的に備えている。上端部２０Ｔは、水平に延びる板状をなしている。本体部２０Ｓは、上端部２０Ｔの前端縁から前下がりに傾斜して延びる板状をなしている。前側部２０Ｆは、本体部２０Ｓの前端縁から下方に延びる板状をなしている。左側部２０Ｌは、上端部２０Ｔ、本体部２０Ｓおよび前側部２０Ｆの各左端縁に跨がる板状をなしている。右側部２０Ｒは、上端部２０Ｔ、本体部２０Ｓおよび前側部２０Ｆの各右端縁に跨がる板状をなしている。
【００５７】
以後、図３〜図１９を用いて、操作パネル１０について詳述する場合、図３〜図１９に示すＡＡ―ＢＢ方向、ＣＣ―ＤＤ方向、及びＥＥ―ＦＦ方向を用いて、方向又は位置について説明する。操作パネル１０が装置本体６に取り付けられた場合、図３〜図１９におけるＡＡ側は、図１、及び図２における上後側に一致する。操作パネル１０が装置本体６に取り付けられた場合、図３〜図１９におけるＢＢ側は、図１、及び図２における下前側に一致する。操作パネル１０が装置本体６に取り付けられた場合、図３〜図１９におけるＣＣ側は、図１、及び図２における上前側に一致する。操作パネル１０が装置本体６に取り付けられた場合、図３〜図１９におけるＤＤ側は、図１、及び図２における下後側に一致する。操作パネル１０が装置本体６に取り付けられた場合、図３〜図１９におけるＥＥ側は、図１、及び図２における左側に一致する。操作パネル１０が装置本体６に取り付けられた場合、図３〜図１９におけるＦＦ側は、図１、及び図２における右側に一致する。
【００５８】
＜上端部＞
【００５９】
上端部２０Ｔは、図９に示されるように、４個の係止部２１９を備えている。４個の係止部２１９は、上端部２０ＴのＤＤ側の面、つまり上端部２０Ｔの裏面に設けられている。４個の係止部２１９は、上端部２０ＴのＡＡ側の端縁に沿って、ＥＥ−ＦＦ方向に間隔を空けて配置されている。各係止部２１９は、上端部２０Ｔの裏面からＤＤ側に延出している。各係止部２１９は、先端部がＡＡ側に屈曲した鉤状をなしている。
【００６０】
＜本体部＞
【００６１】
本体部２０Ｓは、図４に示されるように、枠部の一例としての枠部２００を有している。枠部２００は、ＥＥ−ＦＦ方向に延びる略矩形状をなし、ＢＢ側およびＣＣ側に開放されている。枠部２００は、本体部２０Ｓの中央部分がＢＢ側に陥没した凹部形状をしている。パネルカバー２０の本体部２０Ｓにおける枠部２００外のＣＣ側の面Ｆ２は、平面部である。
【００６２】
枠部２００は、液晶開口２０１、タッチキー開口２０２、静電気誘導孔２１０、電源スイッチ開口２０３およびＮＦＣ開口２０４を有している。
【００６３】
開口の一例としての液晶開口２０１は、枠部２００のＥＥ−ＦＦ方向の中央部に形成されている。液晶開口２０１は、ＥＥ−ＦＦ方向に長い略矩形状をなしている。
【００６４】
タッチキー開口２０２は、図８に示されるように、枠部２００における液晶開口２０１のＦＦ側に形成されている。タッチキー開口２０２は、第１タッチキー開口２０５、３個の第２タッチキー開口２０６および第３タッチキー開口２０７を含む。
【００６５】
第１タッチキー開口２０５は、略正方形状をなしている。
【００６６】
各第２タッチキー開口２０６は、第１タッチキー開口２０５よりも小さい略正方形状をなしている。３個の第２タッチキー開口２０６は、第１タッチキー開口２０５のＥＥ側において、ＡＡ−ＢＢ方向に並べて配置されている。
【００６７】
第３タッチキー開口２０７は、第２タッチキー開口２０６よりも小さい略矩形状をなしている。第３タッチキー開口２０７は、第１タッチキー開口２０５のＦＦ側でＢＢ側に片寄った位置に配置されている。
【００６８】
第１タッチキー開口２０５と各第２タッチキー開口２０６とは、図１５に示されるように第１連結開口２０８を介して連通している。また、第１タッチキー開口２０５と第３タッチキー開口２０７とは、図１５に示されるように第２連結開口２０９を介して連通している。
【００６９】
複数の静電気誘導孔２１０は、タッチキー開口２０２のＡＡ側およびＢＢ側に形成されている。各静電気誘導孔２１０は、ＥＥ−ＦＦ方向に細長い矩形状をなしている。そして、静電気誘導孔２１０は、タッチキー開口２０２のＡＡ側およびＢＢ側の各側において、ＥＥ−ＦＦ方向に互いに間隔を空けて配置されている。静電気誘導孔２１０は、静電気を誘導するために備えられている。
【００７０】
電源スイッチ開口２０３は、第３タッチキー開口２０７のＡＡ側に形成されている。電源スイッチ開口２０３は、図８および図９に示されるように、円形開口部２０３Ｃと、２つのＴ型開口部２０３Ｌ，２０３Ｒとを含む。一方のＴ型開口部２０３Ｌは、円形開口部２０３ＣからＥＥ側に延び、ＡＡ側およびＢＢ側に分岐して延びている。他方のＴ型開口部２０３Ｒは、円形開口部２０３ＣからＦＦ側に延び、ＡＡ側およびＢＢ側に分岐して延びている。
【００７１】
ＦＦ側のＴ型開口部２０３ＲのＢＢ側の端部は、通水口２１８に接続されている。通水口２１８は、Ｔ型開口部２０３ＲのＢＢ側の端部からＦＦ側に延び、ＢＢ側に屈曲して、ＢＢ側に延びている。
【００７２】
パネルカバー２０は、円板状のスイッチ支持台２４０を備えている。スイッチ支持台２４０は、電源スイッチ開口２０３の円形開口部２０３Ｃ内に配置されている。スイッチ支持台２４０は、第１支持部２４２、第２支持部２４３、第３支持部２４４および第４支持部２４５により、弾性的に支持されている。
【００７３】
第１支持部２４２の一端部は、スイッチ支持台２４０に接続されている。第１支持部２４２は、ＦＦ側のＴ型開口部２０３Ｒ内をＦＦ側に延び、ＢＢ側に屈曲して、ＢＢ側に延びている。第１支持部２４２の他端部は、Ｔ型開口部２０３ＲのＢＢ側に分岐した部分のＢＢ側の端面に接続されている。
【００７４】
第２支持部２４３の一端部は、スイッチ支持台２４０に接続されている。第２支持部２４３は、ＦＦ側のＴ型開口部２０３Ｒ内をＦＦ側に延び、ＡＡ側に屈曲して、ＡＡ側に延びている。第２支持部２４３の他端部は、Ｔ型開口部２０３ＲのＡＡ側に分岐した部分のＡＡ側の端面に接続されている。
【００７５】
第３支持部２４４の一端部は、スイッチ支持台２４０に接続されている。第３支持部２４４は、ＥＥ側のＴ型開口部２０３Ｌ内をＥＥ側に延び、ＢＢ側に屈曲して、ＢＢ側に延びている。第３支持部２４４の他端部は、Ｔ型開口部２０３ＬのＢＢ側に分岐した部分のＢＢ側の端面に接続されている。
【００７６】
第４支持部２４５の一端部は、スイッチ支持台２４０に接続されている。第４支持部２４５は、ＥＥ側のＴ型開口部２０３Ｌ内をＥＥ側方に延び、ＡＡ側に屈曲して、ＡＡ側に延びている。第４支持部２４５の他端部は、Ｔ型開口部２０３ＬのＡＡ側に分岐した部分のＡＡ側の端面に接続されている。
【００７７】
スイッチ支持台２４０の中央には、図９に示されるように、略正方形の支持台開口２４６が形成されている。
【００７８】
スイッチ支持台２４０は、図４、図６および図７に示されるように、略円板状の電源スイッチ１３を支持している。電源スイッチ１３は、たとえば、タクトスイッチからなる。電源スイッチ１３の押操作により、複合機１の電源のＯＮ／ＯＦＦが切り替えられる。電源スイッチ１３のＤＤ側の端部は、支持台開口２４６に挿通され、スイッチ支持台２４０よりもＤＤ側に突出している。
【００７９】
ＮＦＣ開口２０４は、枠部２００における液晶開口２０１のＥＥ側に形成されている。ＮＦＣ開口２０４は、略矩形状をなしている。
【００８０】
本体部２０Ｓは、図９に示されるように、６個の係止部２２２を備えている。６個の係止部２２２は、本体部２０ＳのＤＤ側の面、つまり本体部２０Ｓの裏面に設けられている。６個の係止部２２２は、本体部２０ＳのＢＢ側の端縁に沿って、ＥＥ−ＦＦ方向に間隔を空けて配置されている。具体的には、中央の２個の係止部２２２は、液晶開口２０１と本体部２０ＳのＢＢ側の端縁との間に、ＥＥ−ＦＦ方向に間隔を空けて配置されている。最もＥＥ側の係止部２２２は、ＮＦＣ開口２０４のＥＥ側端部と本体部２０ＳのＢＢ側の端縁との間に配置されている。ＥＥ側から２個目の係止部２２２は、最もＥＥ側の係止部２２２とＥＥ側から３個目の係止部２２２との間にほぼ等間隔を空けて配置されている。最もＦＦ側の係止部２２２は、第３タッチキー開口２０７と本体部２０ＳのＢＢ側の端縁との間に配置されている。ＦＦ側から２個目の係止部２２２は、第１タッチキー開口２０５のＥＥ側端部と本体部２０ＳのＢＢ側の端縁との間に配置されている。各係止部２２２は、本体部２０Ｓの裏面からＤＤ側に延出している。各係止部２２２は、先端部がＢＢ側に屈曲した鉤状をなしている。
【００８１】
本体部２０Ｓは、４個の第１位置決め部２２３を備えている。４個の第１位置決め部２２３は、本体部２０Ｓの裏面に設けられている。４個の第１位置決め部２２３は、液晶開口２０１と本体部２０ＳのＢＢ側の端縁との間に、ＥＥ−ＦＦ方向に間隔を空けて配置されている。各第１位置決め部２２３は、１対の側板部２２３Ｌ，２２３Ｒ、延出部２２３Ａ，２２３Ｂおよび連結部２２３Ｃを一体的に有している。１対の側板部２２３Ｌ，２２３Ｒは、それぞれ本体部２０Ｓの裏面からＤＤ側に延出し、ＥＥ−ＦＦ方向に間隔を空けて対向している。ＥＥ−ＦＦ方向の中央の２個の第１位置決め部２２３の側板部２２３Ｌ，２２３Ｒは、係止部２２２を挟んでＥＥ−ＦＦ方向に対向している。延出部２２３Ａ，２２３Ｂは、それぞれ側板部２２３Ｌ，２２３Ｒの上端部からＡＡ側に延出している。連結部２２３Ｃは、延出部２２３Ａ，２２３Ｂの先端部の間に架設され、ＥＥ−ＦＦ方向に延びている。
【００８２】
本体部２０Ｓは、図５に示されるように、その裏面に平坦な位置決め面２３５，２３６，２３７を有している。位置決め面２３５，２３６，２３７は、４個の第１位置決め部２２３の各間に形成されている。最もＥＥ側の位置決め面２３５および最もＦＦ側の位置決め面２３７には、それぞれＤＤ側に延びるボス２３８，２３９が突設されている。パネルカバー２０の位置決め面２３５，２３６，２３７は、図５に示すように、表示部３０５と対向する。
【００８３】
本体部２０Ｓは、図５および図９に示されるように、２個の突出部２２１を備えている。２個の突出部２２１は、本体部２０Ｓの裏面に設けられている。２個の突出部２２１は、液晶開口２０１のＡＡ側において、それぞれ中央の２個の第１位置決め部２２３とＡＡ−ＢＢ方向に対向する位置に配置されている。各突出部２２１は、本体部２０Ｓの裏面からＤＤ側に突出する略円柱状をなしている。
【００８４】
本体部２０Ｓは、８個のねじ穴台２２４を備えている。８個のねじ穴台２２４は、本体部２０Ｓの裏面に設けられている。６個のねじ穴台２２４は、本体部２０Ｓの裏面のＡＡ側の端部に、ＥＥ−ＦＦ方向に間隔を空けて配置されている。残りの２個のねじ穴台２２４は、本体部２０Ｓの裏面のＢＢ側かつＥＥ側の端部に、ＥＥ−ＦＦ方向に間隔を空けて配置されている。各ねじ穴台２２４は、本体部２０Ｓの裏面からＤＤ側に突出する円柱状をなしている。各ねじ穴台２２４には、ＤＤ側に開放されるねじ穴２２０が形成されている。
【００８５】
本体部２０Ｓは、２個の突起部２５１，２５２を備えている。２個の突起部２５１，２５２は、ＢＢ側の２個のねじ穴台２２４の間に、ＥＥ−ＦＦ方向に間隔を空けて配置されている。具体的には、２個の突起部２５１，２５２は、ＮＦＣ開口２０４のＢＢ側の端縁に沿って、ＥＥ−ＦＦ方向に間隔を空けて配置されている。各突起部２５１，２５２は、本体部２０Ｓの裏面からＤＤ側に突出する略円柱状をなしている。
【００８６】
本体部２０Ｓは、図９に示されるように、補強リブ２１５を備えている。補強リブ２１５は、タッチキー開口２０２のＢＢ側に形成された静電気誘導孔２１０に対してタッチキー開口２０２と反対側、つまりタッチキー開口２０２のＢＢ側に形成された静電気誘導孔２１０のＢＢ側において、本体部２０Ｓの裏面からＤＤ方向に延出し、ＥＥ−ＦＦ方向に延びている。
【００８７】
＜前側部＞
【００８８】
前側部２０Ｆは、凹部２７０を有している。凹部２７０は、前側部２０ＦのＥＥ−ＦＦ方向の中央部に配置されている。凹部２７０は、ＥＥ−ＦＦ方向において、最もＥＥ側に配置されたねじ穴台２２４と最もＦＦ側に配置されたねじ穴台２２４との間で延びている。また、凹部２７０は、前側部２０ＦのＥＥ側端部およびＦＦ側端部よりもＡＡ側に凹み、ＣＣ側およびＤＤ側に開放されている。
【００８９】
＜パネルプレート＞
【００９０】
パネルプレート１４は、樹脂からなる。パネルプレート１４は、ＥＥ−ＦＦ方向に延びる略矩形板状をなしている。具体的には、パネルプレート１４は、ＣＣ−ＤＤ方向から見て、パネルカバー２０の本体部２０Ｓの枠部２００とほぼ同一形状をなす。パネルプレート１４は、ＣＣ−ＤＤ方向において、枠部２００の深さと同じ寸法の厚みを有している。パネルプレート１４は、枠部２００に嵌め込まれて保持される。パネルプレート１４が枠部２００に嵌め込まれた状態で、パネルプレート１４のＣＣ側の面は、パネルカバー２０の本体部２０ＳのＣＣ側の面と同一平面上に配置される。
【００９１】
パネルプレート１４は、矩形状開口１４１および円形開口１４２を有している。
【００９２】
矩形状開口１４１は、パネルプレート１４のＥＥ−ＦＦ方向の中央部に形成されている。矩形状開口１４１は、パネルカバー２０の本体部２０Ｓの液晶開口２０１よりも小さいサイズでＥＥ−ＦＦ方向に延びる矩形状をなしている。パネルプレート１４が枠部２００に嵌め込まれた状態で、矩形状開口１４１は、液晶開口２０１とＣＣ−ＤＤ方向に重なり合う。
【００９３】
円形開口１４２は、パネルプレート１４のＦＦ方向端部に形成されている。円形開口１４２は、電源スイッチ１３よりも少し大きい径を有している。パネルプレート１４が枠部２００に嵌め込まれた状態で、電源スイッチ１３が円形開口１４２に嵌り込む。
【００９４】
＜パネルフロントカバー＞
【００９５】
パネルフロントカバー１５は、図４に示されるように、ＥＥ−ＦＦ方向に延びる板状をなしている。具体的には、パネルフロントカバー１５は、ＡＡ−ＢＢ方向から見て、パネルカバー２０の前側部２０Ｆの凹部２７０とほぼ同一形状をなす。パネルフロントカバー１５は、ＡＡ−ＢＢ方向において、凹部２７０の深さと同じ寸法の厚みを有している。パネルフロントカバー１５は、凹部２７０に嵌め込まれる。パネルフロントカバー１５が凹部２７０に嵌め込まれた状態で、パネルフロントカバー１５のＢＢ側の面はパネルカバー２０の前側部２０ＦのＢＢ側の面と同一平面上に配置される。また、パネルフロントカバー１５のＣＣ側の端面は、パネルカバー２０の本体部２０ＳのＤＤ側の面と同一平面上に配置される。
【００９６】
＜第１両面テープ＞
【００９７】
第１両面テープ１６は、パネルプレート１４とパネルカバー２０との間に介在されている。第１両面テープ１６は、ポリエステル樹脂の不織布と不織布の両面に設けられた粘着剤とからなる。第１両面テープ１６は、ＥＥ−ＦＦ方向に延びる略矩形板状をなしている。第１両面テープ１６は、第１開口１６１、第２開口１６２、第３開口１６３、第４開口１６４および第５開口１６５を有している。
【００９８】
第１開口１６１は、第１両面テープ１６のＥＥ−ＦＦ方向の中央部に形成されている。第１開口１６１は、パネルカバー２０の本体部２０Ｓの液晶開口２０１とほぼ同じ形状をなしている。第１開口１６１は、液晶開口２０１およびパネルプレート１４の矩形状開口１４１とＣＣ−ＤＤ方向に重なり合う。
【００９９】
第２開口１６２は、第１開口１６１のＦＦ側に多数形成されている。各第２開口１６２は、円形をなしている。第２開口１６２は、パネルカバー２０の本体部２０Ｓの第１タッチキー開口２０５および第２タッチキー開口２０６とＣＣ−ＤＤ方向に対向する。
【０１００】
第３開口１６３は、第２開口１６２のＥＥ側に形成されている。第３開口１６３は、パネルカバー２０の本体部２０ＳのＮＦＣ開口２０４よりもＥＥ−ＦＦ方向に長い略矩形状をなしている。第３開口１６３は、ＮＦＣ開口２０４とＣＣ−ＤＤ方向に重なり合う。
【０１０１】
第４開口１６４は、第２開口１６２が形成されている部分のＡＡ側およびＢＢ側に複数形成されている。各第４開口１６４は、ＥＥ−ＦＦ方向に延びる形状をなしている。そして、第４開口１６４は、第２開口１６２が形成されている部分のＡＡ側およびＢＢ側の各側において、ＥＥ−ＦＦ方向に間隔を空けて配置されている。第４開口１６４は、パネルカバー２０の本体部２０Ｓの静電気誘導孔２１０とＣＣ−ＤＤ方向に重なり合う。
【０１０２】
第５開口１６５は、第２開口１６２が形成されている部分のＦＦ側に形成されている。第５開口１６５には、電源スイッチ１３が挿通される。
【０１０３】
＜タッチパネル部＞
【０１０４】
タッチパネル部３０は、図４および図５に示されるように、タッチパネル３００、保持フレーム３０１およびＬＣＤ（Liquid Crystal Display）３０２を含む表示部３０５と、付勢部材３０３とを備える。
【０１０５】
＜タッチパネル＞
【０１０６】
タッチパネル３００は、ＥＥ−ＦＦ方向に長い矩形平板状をなしている。タッチパネル３００は、図４に示されるように、四角枠状のタッチパネル枠部３０６と、タッチパネル枠部３０６の内側に配置される操作部３０７とを備えている。操作部３０７のＬＣＤ３０２側と反対側、即ちＣＣ側の操作面３０７Ｃは、使用者の指先などでタッチ操作される操作面である。タッチパネル３００は、操作面３０７Ｃが使用者の指先などで押されることによる圧力の変化に応じた信号を出力する抵抗膜方式または表面弾性波方式のタッチパネルである。タッチパネル３００の出力信号は、タッチパネル枠部３０６に接続されたタッチパネルケーブル３０４を通して、非図示のタッチパネル制御基板に入力される。タッチパネル３００は、ＬＣＤ３０２に対して、図４に示すように、パネルカバー２０側に設けられる。タッチパネル３００は、ＬＣＤ３０２に表示される画像を透過させる。
【０１０７】
タッチパネル３００の操作面３０７Ｃは、液晶開口２０１から露出している。タッチパネル３００の操作面３０７Ｃは、図１０に示されるように、保護フィルム３０８によって覆われている。
【０１０８】
＜保持フレーム＞
【０１０９】
保持フレーム３０１は、タッチパネル３００を保持する。保持フレーム３０１は、板金からなる。保持フレーム３０１は、図４および図５に示されるように、四角枠状をなしている。具体的には、保持フレーム３０１は、第１縁部３０１Ａ、第２縁部３０１Ｂ、第３縁部３０１Ｌおよび第４縁部３０１Ｒを一体的に備えている。第１縁部３０１Ａおよび第２縁部３０１Ｂは、それぞれＥＥ−ＦＦ方向に細長く延び、ＡＡ−ＢＢ方向に間隔を空けて対向している。第１縁部３０１Ａは、第２縁部３０１Ｂに対してＡＡ側に設けられている。第３縁部３０１Ｌは、ＡＡ−ＢＢ方向に細長く延び、第１縁部３０１ＡのＥＥ側端部と第２縁部３０１ＢのＥＥ側端部との間に跨がって設けられている。第４縁部３０１Ｒは、ＡＡ−ＢＢ方向に細長く延び、第１縁部３０１ＡのＦＦ側端部と第２縁部３０１ＢのＦＦ側端部との間に跨がって設けられている。
【０１１０】
また、保持フレーム３０１は、Ｌ字状部３１２を備えている。Ｌ字状部３１２は、図４及び図５に示されるように、第１縁部３０１ＡのＥＥ−ＦＦ方向の中央部よりも少しＦＦ側寄りの位置に位置する。Ｌ字状部３１２は、このＦＦ側寄りの位置から、図１０に示されるように、ＤＤ側に延び、ＡＡ側に屈曲して、ＡＡ側に延びている。Ｌ字状部３１２の先端部には、図５に示されるように、ねじ挿通孔３１３が形成されている。
【０１１１】
保持フレーム３０１は、３個の位置決め部３１４，３１５，３１６を備えている。位置決め部３１４は、第２縁部３０１ＢのＥＥ側端部からＢＢ側に延出し、ＥＥ−ＦＦ方向に細長く延びる矩形状をなしている。位置決め部３１５は、第２縁部３０１ＢのＥＥ―ＦＦ方向中央部からＢＢ側に延出し、ＥＥ−ＦＦ方向に細長く延びる矩形状をなしている。位置決め部３１６は、第２縁部３０１ＢのＦＦ側端部からＢＢ側に延出し、ＥＥ−ＦＦ方向に細長く延びる矩形状をなしている。位置決め部３１４および位置決め部３１６には、それぞれボス挿通孔３１７，３１８が形成されている。ボス挿通孔３１７は、ＥＥ−ＦＦ方向に長い長孔として形成されている。ボス挿通孔３１７は、図５に示されるパネルカバー２０の本体部２０Ｂのボス２３８の外径とほぼ同じ短径を有している。ボス挿通孔３１８は、丸孔として形成されている。ボス挿通孔３１８は、図５に示されるパネルカバー２０の本体部２０Ｂのボス２３９の外径とほぼ同じ径を有している。
【０１１２】
＜ＬＣＤ＞
【０１１３】
表示パネルの一例としてのＬＣＤ３０２は、ＣＣ−ＤＤ方向から見て、タッチパネル３００とほぼ同じ大きさの矩形状をなしている。ＬＣＤ３０２は、四角枠状のＬＣＤ枠部３２１と、ＬＣＤ枠部３２１の内側に配置される画像表示部３２２とを備えている。画像表示部３２２のＣＣ側の表示面３２２Ｃは、キーなどの画像が表示される表示面である。ＬＣＤ３０２は、画像を表示するように構成されている。
【０１１４】
ＬＣＤ３０２は、ＬＣＤケーブル３２５を備えている。ＬＣＤケーブル３２５の一端部は、ＬＣＤ枠部３２１に接続されている。ＬＣＤケーブル３２５の他端部は、非図示のタッチパネル制御基板に接続されている。ＬＣＤ３０２の表示面３２２Ｃに表示される画像のデータは、非図示のタッチパネル制御基板からＬＣＤケーブル３２５を介してＬＣＤ３０２に入力される。
【０１１５】
表示部３０５のＬＣＤ３０２は、図５および図１１に示されるように、そのＤＤ側の面、つまり裏面の周縁部に、複数の矩形状の凹部３２６を備えている。凹部３２６は、ＬＣＤ３０２の裏面のＡＡ側、ＢＢ側およびＦＦ側の縁部に、互いに間隔を空けて形成されている。
【０１１６】
＜付勢部材＞
【０１１７】
付勢部材３０３は、板金からなる。付勢部材３０３は、図１２に示されるように、板部３３０および６個の延出部３６０を一体的に備えている。
【０１１８】
板部３３０は、平面視で略矩形状をなしている。板部３３０は、図４に示すように、表示部３０５の操作面３０７Ｃと反対側の裏面に対して間隔を空けて配置される。
【０１１９】
６個の延出部３６０は、板部３３０におけるＥＥ−ＦＦ方向に間隔を空けた３つの位置からＡＡ側およびＢＢ側の両側に延出している。各延出部３６０の基端部３６０Ｔは、ＣＣ−ＤＤ方向から見て、板部３３０側ほど幅広となる台形状をなしている。延出部３６０の基端部３６０Ｔは、延出部３６０の先端部３６０ＥよりもＡＡ−ＢＢ方向と直交するＥＥ−ＦＦ方向において幅広に形成されている。各延出部３６０の先端部３６０Ｅは、ＣＣ側に屈曲している。
【０１２０】
なお、以下の説明において、各延出部３６０を個別に特定するときには、板部３３０のＢＢ側かつＦＦ側の延出部３６０を「第１延出部３６１」という。板部３３０のＡＡ側かつＦＦ側の延出部３６０を「第２延出部３６２」という。板部３３０のＢＢ側かつ中央の延出部３６０を「第３延出部３６３」という。板部３３０のＡＡ側かつ中央の延出部３６０を「第４延出部３６４」という。板部３３０のＢＢ側かつＥＥ側の延出部３６０を「第５延出部３６５」という。板部３３０のＡＡ側かつＥＥ側の延出部３６０を「第６延出部３６６」という。
【０１２１】
付勢部材３０３は、第１延出部３６１のＦＦ側に、第１係止板部３９１を備えている。第１係止板部３９１は、板部３３０と一体に形成される。第１係止板部３９１は、板部３３０からＢＢ側に延出している。
【０１２２】
付勢部材３０３は、第１延出部３６１と第３延出部３６３との間に、第２係止板部３９２を備えている。第２係止板部３９２は、板部３３０と一体に形成される。第２係止板部３９２は、板部３３０からＢＢ側に延出している。板部３３０と第２係止板部３９２とに跨がって矩形状の開口３７１Ｈが形成されている。
【０１２３】
付勢部材３０３は、第３延出部３６３と第５延出部３６５との間に、第３係止板部３９３を備えている。第３係止板部３９３は、板部３３０と一体に形成される。第３係止板部３９３は、板部３３０からＢＢ側に延出している。板部３３０と第３係止板部３９３とに跨がって矩形状の開口３７３Ｈが形成されている。
【０１２４】
付勢部材３０３は、第５延出部３６５のＥＥ側に、第４係止板部３９４を備えている。第４係止板部３９４は、板部３３０と一体に形成される。第４係止板部３９４は、板部３３０からＢＢ側に延出している。
【０１２５】
付勢部材３０３は、第２延出部３６２のＦＦ側に、ねじ挿通部の一例としての第１固定板部３８１を備えている。第１固定板部３８１は、板部３３０と一体に形成される。第１固定板部３８１は、板部３３０からＡＡ側に延出している。第１固定板部３８１は、基端部３８１Ｂと、延設部３８１Ｅとを一体的に備えている。基端部３８１Ｂは、略矩形状である。延設部３８１Ｅは、基端部３８１ＢのＦＦ側端縁からＡＡ側に延びる。延設部３８１Ｅは、途中部がＤＤ側に屈曲し、さらにＡＡ側に屈曲して、ＡＡ側に延びている。延設部３８１Ｅの先端部には、ねじ挿通孔３４１が形成されている。
【０１２６】
付勢部材３０３は、第２延出部３６２と第４延出部３６４との間に、係止部の一例としての第１位置決め板部３８２を備えている。第１位置決め板部３８２は、板部３３０と一体に形成される。第１位置決め板部３８２は、板部３３０からＢＢ側に延出している。第１位置決め板部３８２の先端部は、第１分岐部３８２Ａおよび第２分岐部３８２Ｂに分岐している。第１分岐部３８２Ａの先端部には、位置決め孔３５１が形成されている。第２分岐部３８２Ｂの先端部には、ねじ挿通孔３４２が形成されている。矩形状の開口３７２Ｈが第１位置決め板部３８２に形成されている。第１位置決め板部３８２は、図１４に示すように、パネルカバー２０に係止される。
【０１２７】
付勢部材３０３は、第４延出部３６４と第６延出部３６６との間に、係止部の一例としての第２位置決め板部３８３を備えている。第２位置決め板部３８３は、板部３３０と一体に形成される。第２位置決め板部３８３は、板部３３０からＢＢ側に延出している。第２位置決め板部３８３の先端部には、位置決め孔３５２が形成されている。矩形状の開口３７４Ｈが、第２位置決め板部３８３に形成されている。第２位置決め板部３８３は、図１４に示すように、パネルカバー２０に係止される。
【０１２８】
付勢部材３０３は、第６延出部３６６のＥＥ側に、ねじ挿通部の一例としての第２固定板部３８４を備えている。第２固定板部３８４は、板部３３０と一体に形成される。第２固定板部３８４は、板部３３０からＡＡ側に延出している。第２固定板部３８４は、基端部３８４Ｂと、延設部３８４Ｅとを一体的に備えている。基端部３８４Ｂは、略台形状である。延設部３８４Ｅは、基端部３８４ＢのＥＥ側端縁からＡＡ側に延びる。延設部３８４Ｅは、途中部がＤＤ側に屈曲し、さらにＡＡ側に屈曲して、ＡＡ側に延びている。延設部３８４Ｅの先端部には、ねじ挿通孔３４３が形成されている。第１固定板部３８１および第２固定板部３８４は、図１４に示すように、パネルカバー２０にねじ込まれるねじ３８０が挿通される。
【０１２９】
付勢部材３０３は、当接部の一例としての４個の中央当接部３７１，３７２，３７３，３７４を備えている。中央当接部３７１は、開口３７１ＨのＢＢ側の端縁からＣＣ側に延出している。中央当接部３７２は、開口３７２ＨのＡＡ側の端縁からＣＣ側に延出している。中央当接部３７３は、開口３７３ＨのＢＢ側の端縁からＣＣ側に延出している。中央当接部３７４は、開口３７４ＨのＡＡ側の端縁からＣＣ側に延出している。４個の中央当接部３７１，３７２，３７３，３７４は、板部３３０と一体的に形成されている。中央当接部３７１，３７２，３７３，３７４は、表示部３０５の裏面の中央部に対向して配置されている。
【０１３０】
また、付勢部材３０３は、当接部の一例としての４個の周縁当接部３７５，３７６，３７７，３７８を備えている。周縁当接部３７５は、第１係止板部３９１のＦＦ側端縁からＣＣ側に延出している。周縁当接部３７６は、第４係止板部３９４のＥＥ側端縁からＣＣ側に延出している。周縁当接部３７７は、第１固定板部３８１の基端部３８１ＢのＡＡ側の端縁からＣＣ側に延出している。周縁当接部３７８は、第２固定板部３８４の基端部３８４ＢのＡＡ側の端縁からＣＣ側に延出している。４個の周縁当接部３７５，３７６，３７７，３７８は、板部３３０と一体的に形成されている。周縁当接部３７５，３７６，３７７，３７８は、表示部３０５の裏面の周辺部に対向して配置されている。
【０１３１】
＜タッチパネル部の組み立て＞
【０１３２】
タッチパネル３００は、図１０に示されるように、パネルカバー２０の本体部２０Ｓと保持フレーム３０１との間に介在される。保持フレーム３０１のＣＣ側の面は、タッチパネル３００のタッチパネル枠部３０６のＤＤ側の面に当接される。このとき、保持フレーム３０１の位置決め部３１４，３１５，３１６は、それぞれパネルカバー２０の位置決め面２３５，２３６，２３７に当接される。そして、ＥＥ側の位置決め面２３５のボス２３８およびＦＦ側の位置決め面２３７のボス２３９は、それぞれＥＥ側の位置決め部３１４のボス挿通孔３１７およびＦＦ側の位置決め部３１６のボス挿通孔３１８に挿通される。
【０１３３】
保持フレーム３０１のＬ字状部３１２の先端部は、パネルカバー２０の本体部２０Ｓの２個の突出部２２１の間に設けられたねじ穴台２２４にＤＤ側から当接される。そして、Ｌ字状部３１２のねじ挿通孔３１３は、そのねじ穴台２２４のねじ穴２２０と重なり合う。
【０１３４】
ＬＣＤ３０２は、保持フレーム３０１のＤＤ側に配置される。ＬＣＤ３０２のＬＣＤ枠部３２１は、保持フレーム３０１のＤＤ側の面に当接される。
【０１３５】
付勢部材３０３は、ＬＣＤ３０２のＤＤ側に配置される。付勢部材３０３の第１係止板部３９１、第２係止板部３９２、第３係止板部３９３および第４係止板部３９４は、図１４に示されるように、それぞれパネルカバー２０の本体部２０Ｓの第１位置決め部２２３の側板部２２３Ｌ，２２３ＲにＡＡ側から当接される。この状態において、第１位置決め部２２３の延出部２２３Ａ，２２３Ｂおよび連結部２２３Ｃは、第１係止板部３９１、第２係止板部３９２、第３係止板部３９３および第４係止板部３９４にＤＤ側から対向する。
【０１３６】
そして、付勢部材３０３の第１位置決め板部３８２の位置決め孔３５１および第２位置決め板部３８３の位置決め孔３５２に、それぞれパネルカバー２０の本体部２０Ｓの突出部２２１が挿通される。これにより、付勢部材３０３は、パネルカバー２０に対して位置決めされる。
【０１３７】
付勢部材３０３がパネルカバー２０に対して位置決めされた状態で、付勢部材３０３の第１固定板部３８１の先端部は、ねじ穴台２２４にＤＤ側から対向する。第２固定板部３８４の先端部は、ねじ穴台２２４にＤＤ側から対向する。そして、第１固定板部３８１のねじ挿通孔３４１は、ねじ穴台２２４のねじ穴２２０と重なり合う。第２固定板部３８４のねじ挿通孔３４３は、ねじ穴台２２４のねじ穴２２０と重なり合う。また、第１位置決め板部３８２の第２分岐部３８２Ｂの先端部は、図１０に示されるように、保持フレーム３０１のＬ字状部３１２を挟んで、２個の突出部２２１の間に設けられたねじ穴台２２４にＤＤ側から対向する。そして、第２分岐部３８２Ｂのねじ挿通孔３４２は、そのねじ穴台２２４のねじ穴２２０およびＬ字状部３１２のねじ挿通孔３１３と重なり合う。各ねじ挿通孔３４１，３４２，３４３にねじ３８０が挿通され、各ねじ３８０の先端部がねじ穴２２０にねじ込まれることにより、付勢部材３０３がパネルカバー２０に対して固定される。
【０１３８】
この状態で、付勢部材３０３の延出部３６０の先端部３６０Ｅは、ＬＣＤ３０２の裏面の凹部３２６に入り込んでいる。そして、付勢部材３０３の延出部３６０の板金が有する弾性により、延出部３６０の先端部３６０Ｅが表示部３０５をパネルカバー２０に向けて付勢する。
【０１３９】
また、付勢部材３０３の中央当接部３７１，３７２，３７３，３７４および周縁当接部３７５，３７６，３７７，３７８は、ＬＣＤ３０２等が撓み変形していない通常状態において、表示部３０５のＬＣＤ３０２の裏面と非接触である。すなわち、中央当接部３７１，３７２，３７３，３７４および周縁当接部３７５，３７６，３７７，３７８の先端とＬＣＤ３０２の裏面との間には、間隔が空いている。中央当接部３７１，３７２，３７３，３７４および周縁当接部３７５，３７６，３７７，３７８は、表示部３０５が撓み変形した状態で、表示部３０５のＬＣＤ３０２の裏面に当接する。
【０１４０】
＜タッチキー部＞
【０１４１】
タッチキー部４０は、図６に示されるように、ＬＥＤ導光レンズ４６０、静電キー基板４０２および第２両面テープ４０１を備えている。
【０１４２】
＜ＬＥＤ導光レンズ＞
【０１４３】
ＬＥＤ導光レンズ４６０は、１６個設けられている。１２個のＬＥＤ導光レンズ４６０は、パネルカバー２０の第１タッチキー開口２０５内に、４×３の行列状に配置されている。３個のＬＥＤ導光レンズ４６０は、それぞれ第２タッチキー開口２０６内に配置されている。残り１個のＬＥＤ導光レンズ４６０は、第３タッチキー開口２０７内に配置されている。
【０１４４】
＜静電キー基板＞
【０１４５】
静電キー基板４０２は、平面視で矩形状をなしている。静電キー基板４０２は、パネルカバー２０の本体部２０ＳのＤＤ側に配置される。静電キー基板４０２の周縁部は、パネルカバー２０によって覆われている。また、静電キー基板４０２の中央部は、パネルプレート１４によって覆われている。静電キー基板４０２は、１６個のタッチキー電極４５０および電源スイッチ電極４５１を備えている。タッチキー電極４５０および電源スイッチ電極４５１は、静電キー基板４０２の表面に形成されている。タッチキー電極４５０は、ＬＥＤ導光レンズ４６０に対してＤＤ側から対向する位置に配置されている。電源スイッチ電極４５１は、パネルカバー２０のスイッチ支持台２４０に対してＤＤ側から対向する位置に配置されている。
【０１４６】
静電キー基板４０２は、非図示の信号処理回路を備えている。タッチキー電極４５０および電源スイッチ電極４５１は、信号処理回路と電気的に接続されている。パネルプレート１４における各タッチキー電極４５０とＣＣ−ＤＤ方向に対向するタッチ位置が使用者の指先などで触れられると、そのパネルプレート１４の触れられた部分とタッチキー電極４５０との間の静電容量が変化する。信号処理回路により、その静電容量の変化が検出され、これに基づいて、タッチ位置が操作者の指先で触れられたと判断される。
【０１４７】
また、静電キー基板４０２は、図１５に示されるように、第１接地パターン４３０および第２接地パターン４４０を備えている。第１接地パターン４３０は、静電キー基板４０２の表面における静電気誘導孔２１０と対向する位置、及びその対向する位置とタッチキー電極４５０との間の位置を通る。第１接地パターン４３０は、タッチキー電極４５０および電源スイッチ電極４５１を取り囲む略四角環状に形成されている。第２接地パターン４４０は、電源スイッチ１３とＣＣ−ＤＤ方向に対向する部分、つまり電源スイッチ電極４５１を取り囲む円環状に形成されている。第１接地パターン４３０および第２接地パターン４４０は、接地されている。
【０１４８】
＜第２両面テープ＞
【０１４９】
第２両面テープ４０１は、パネルカバー２０の本体部２０Ｓと静電キー基板４０２との間に配置される。第２両面テープ４０１は、パネルカバー２０の本体部２０Ｓと静電キー基板４０２とに当接される。第２両面テープ４０１は、ポリエステル樹脂の不織布と不織布の両面に設けられた粘着剤とからなる。第２両面テープ４０１は、ＥＥ−ＦＦ方向に延びる略矩形状をなしている。
【０１５０】
第２両面テープ４０１は、切欠部４２０を有している。切欠部４２０は、第２両面テープ４０１のＦＦ側端縁で開放される略矩形状をなしている。第２両面テープ４０１は、端縁４２１、端縁４２２、端縁４２３、端縁４２４および端縁４２５を有している。端縁４２１は、切欠部４２０のＢＢ側において、ＡＡ−ＢＢ方向に延びている。端縁４２２は、端縁４２１のＡＡ側の端部からＥＥ側に延びている。端縁４２３は、端縁４２２のＥＥ側端部からＡＡ側に延びている。端縁４２４は、端縁４２３のＡＡ側の端部からＦＦ側に延びている。端縁４２５は、端縁４２４のＦＦ側端部からＡＡ側に延び、端縁４２１と同一直線上に設けられている。
【０１５１】
切欠部４２０は、パネルカバー２０に形成された電源スイッチ開口２０３の円形開口部２０３Ｃおよび静電キー基板４０２の電源スイッチ電極４５１と重なり合う。そして、端縁４２１は、図１６に示されるように、パネルカバー２０の通水口２１８のＥＥ側の端部２１８ＬよりもＦＦ側に配置されている。端縁４２２は、パネルカバー２０のＴ型開口部２０３Ｌ，２０３ＲのＢＢ側の端縁２０３ＬＢ，２０３ＲＢよりもＡＡ側に配置されている。端縁４２３は、ＥＥ側のＴ型開口部２０３ＬのＥＥ側の端縁よりもＦＦ側に配置されている。端縁４２４は、Ｔ型開口部２０３Ｌ，２０３ＲのＡＡ側の端縁２０３ＬＡ，２０３ＲＡよりもＢＢ側に配置されている。
【０１５２】
通水口２１８は、一端部がＴ型開口部２０３ＲのＢＢ側の端部に配置され、他端部が第２位置の一例としてのタッチキー開口２０２に対してＴ型開口部２０３ＲのＢＢ側の端部よりも遠い静電キー基板４０２のＢＢ側端縁よりもＢＢ側の位置に配置されており、パネルカバー２０は、他端部が一端部よりも下方に位置するように、水平方向に対して傾斜するように配置されている。通水口２１８の他端部は、パネルカバー２０が静電キー基板４０２と対向する方向において開放されている。
【０１５３】
たとえば、使用者がパネルプレート１４上に水などの液体をこぼすと、液体が電源スイッチ１３とパネルプレート１４の円形開口１４２との隙間に入り込み、その液体が静電キー基板４０２上に流れ込むことが想定される。液体が静電キー基板４０２上に流れ込んでも、第２両面テープ４０１の端縁４２２、端縁４２３および端縁４２４により、その液体が静電キー基板４０２上をタッチキー電極４５０側に流れることが抑制される。また、静電キー基板４０２は、パネルカバー２０の本体部２０Ｂと平行をなして前下がりに傾斜している。そのため、静電キー基板４０２上に流れ込んだ液体は、図１６において二点鎖線にて示すように、第２両面テープ４０１の端縁４２１のＦＦ側、即ち図１、及び図２などにおけるＦＦ側を通水口２１８に沿って流れる。そして、液体は、図１７において二点鎖線にて示すように、静電キー基板４０２とパネルカバー２０の補強リブ２１５との間の隙間から流れ落ちる。
【０１５４】
また、第２両面テープ４０１は、複数の光通過孔４２７および光通過切欠４２６を有している。タッチキー部４０は、複数の非図示のＬＥＤを備えている。各ＬＥＤからの光は、光通過孔４２７または光通過切欠４２６を通過して、ＬＥＤ導光レンズ４６０に入射する。そして、ＬＥＤ導光レンズ４６０を通過した光は、第１両面テープ１６を透過して、パネルプレート１４に照射される。これにより、パネルプレート１４の表面にテンキーなどが表示される。
【０１５５】
＜ＮＦＣ部＞
【０１５６】
ＮＦＣ部５０は、図７に示されるように、ＮＦＣ基板５００、シールドプレート５０２および弾性部材５０１を備えている。
【０１５７】
＜ＮＦＣ基板＞
【０１５８】
ＮＦＣ基板５００は、略矩形板状をなしている。ＮＦＣ基板５００は、近距離無線通信を実現する回路を備えている。
【０１５９】
＜シールドプレート＞
【０１６０】
シールドプレート５０２は、板金からなる。シールドプレート５０２は、ＮＦＣ基板５００とパネルユニット制御基板５０３との間に配置され、外部からパネルユニット制御基板５０３へのノイズの侵入を阻止するために備えられている。シールドプレート５０２は、プレート本体５２５と、４個のねじ挿通板５２６，５２７，５２８，５２９と、接続板５２０とを備えている。
【０１６１】
プレート本体５２５は、ＥＥ−ＦＦ方向に延びる略矩形状をなしている。
【０１６２】
ねじ挿通板５２６は、プレート本体５２５のＡＡ側の端縁のＥＥ側端部からＤＤ側に延び、ＡＡ側に屈曲して、ＡＡ側に延びている。ねじ挿通板５２６の先端部には、ねじ挿通孔５２１が形成されている。
【０１６３】
ねじ挿通板５２７は、プレート本体５２５のＢＢ側の端縁のＥＥ側端部からＤＤ側に延び、ＢＢ側に屈曲して、ＢＢ側に延びている。ねじ挿通板５２６の先端部には、ねじ挿通孔５２２が形成されている。
【０１６４】
ねじ挿通板５２８は、プレート本体５２５のＡＡ側の端縁のＦＦ側端部からＤＤ側に延び、ＡＡ側に屈曲して、ＡＡ側に延びている。ねじ挿通板５２８の先端部には、ねじ挿通孔５２３が形成されている。
【０１６５】
ねじ挿通板５２９は、プレート本体５２５のＢＢ側の端縁のＦＦ側端部からＤＤ側に延び、ＢＢ側に屈曲して、ＢＢ側に延びている。ねじ挿通板５２９の先端部には、ねじ挿通孔５２４が形成されている。
【０１６６】
接続板５２０は、プレート本体５２５のＦＦ側端縁からＤＤ側に延び、ＦＦ側に屈曲して、ＦＦ側に延びている。接続板５２０のＦＦ側に延びる部分は、ＣＣ−ＤＤ方向から見て、Ｌ字状をなしている。具体的には、そのＬ字状をなす部分は、ＡＡ側に延び、ＦＦ側に屈曲して、ＦＦ側に延びている。接続板５２０の先端部には、ねじ挿通孔５３０が形成されている。
【０１６７】
また、プレート本体５２５には、ＢＢ側の端部に、位置決め孔５３３，５３４がＥＥ−ＦＦ方向に間隔を空けて形成されている。ＥＥ側の位置決め孔５３３は、ＥＥ−ＦＦ方向に長い長孔として形成されている。ＦＦ側の位置決め孔５３４は、丸孔として形成されている。
【０１６８】
＜弾性部材＞
【０１６９】
弾性部材５０１は、スポンジからなる。弾性部材５０１は、直方体形状をなしている。弾性部材５０１は、ＮＦＣ基板５００とシールドプレート５０２との間隔を調整するために備えられている。
【０１７０】
＜パネルユニット制御基板＞
【０１７１】
操作パネル１０は、図７に示されるように、パネルユニット制御基板５０３を備えている。
【０１７２】
パネルユニット制御基板５０３は、略矩形板状をなしている。パネルユニット制御基板５０３は、シールドプレート５０２のＤＤ側に配置される。パネルユニット制御基板５０３には、ねじ挿通孔５５２，５５３，５５４，５５５が形成されている。パネルユニット制御基板５０３は、静電キー基板４０２を制御するために備えられている。
【０１７３】
また、操作パネル１０は、ＦＦＣ（Flexible Flat Cable：フレキシブルフラットケーブル）５６１を備えている。ＦＦＣ５６１の一端部は、静電キー基板４０２に接続されている。ＦＦＣ５６１の他端部は、パネルユニット制御基板５０３に接続されている。
【０１７４】
＜ＮＦＣ部の組立＞
【０１７５】
ＮＦＣ基板５００は、図１８に示されるように、パネルカバー２０のＮＦＣ開口２０４に嵌められる。ＮＦＣ基板５００のＣＣ側の面は、パネルプレート１４のＤＤ側の面に接する。
【０１７６】
シールドプレート５０２は、ＮＦＣ基板５００に対してＤＤ側に間隔を空けて対向して配置される。シールドプレート５０２の位置決め孔５３３，５３４に、それぞれパネルカバー２０の突起部２５１，２５２が挿通される。これにより、シールドプレート５０２は、パネルカバー２０に対して位置決めされる。
【０１７７】
シールドプレート５０２がパネルカバー２０に対して位置決めされた状態で、シールドプレート５０２のねじ挿通板５２６，５２７，５２８，５２９の先端部は、それぞれパネルカバー２０のＮＦＣ開口２０４の周囲に設けられたねじ穴台２２４にＤＤ側から当接される。そして、ねじ挿通孔５２１，５２２，５２３，５２４は、それぞれねじ穴台２２４のねじ穴２２０と重なり合う。また、シールドプレート５０２の接続板５２０の先端部は、付勢部材３０３の第２固定板部２８４を挟んで、パネルカバー２０のねじ穴台２２４にＤＤ側から対向する。そして、ねじ挿通孔５３０は、第２固定板部２８４のねじ挿通孔３４３およびねじ穴台２２４のねじ穴２２０と重なり合う。
【０１７８】
弾性部材５０１は、ＮＦＣ基板５００とシールドプレート５０２との間に介在される。
【０１７９】
パネルユニット制御基板５０３は、シールドプレート５０２のＤＤ側に配置される。パネルユニット制御基板５０３のねじ挿通孔５５２，５５３，５５４，５５５は、それぞれシールドプレート５０２のねじ挿通孔５２１，５２２，５２３，５２４と重なり合う。
【０１８０】
また、操作パネル１０は、図１９に示されるように、板金カバー５０４を備えている。板金カバー５０４は、パネルユニット制御基板５０３のＤＤ側に配置される。板金カバー５０４には、４つの非図示のねじ挿通孔が形成されている。これらのねじ挿通孔は、パネルユニット制御基板５０３のねじ挿通孔５５２，５５３，５５４，５５５と重なり合う。そして、板金カバー５０４の各ねじ挿通孔にねじ５０５が挿通されて、各ねじ５０５の先端部がねじ穴２２０にねじ込まれることにより、板金カバー５０４とパネルカバー２０との間で、シールドプレート５０２およびパネルユニット制御基板５０３がパネルカバー２０に対して固定される。
【０１８１】
また、シールドプレート５０２のねじ挿通孔５３０にねじ５０５が挿通され、ねじ５０５の先端部が付勢部材３０３のねじ挿通孔３４３を通してねじ穴２２０にねじ込まれる。これにより、シールドプレート５０２の接続板５２０が付勢部材３０３の第２固定板部２８４とともにパネルカバー２０のねじ穴台２２４に固定される。
【０１８２】
＜接地構造＞
【０１８３】
操作パネル１０は、図１９に示されるように、アース板６０６およびアース板ばね６０４，６０５を備えている。
【０１８４】
アース板６０６は、金属からなり、ＥＥ−ＦＦ方向に細長く延びる矩形板状をなしている。アース板６０６は、本体部２０Ｓの裏面のＡＡ側の端部に設けられたＦＦ側のねじ穴台２２４とＦＦ側から２個目のねじ穴台２２４との間に架設されている。アース板６０６のＥＥ側端部は、付勢部材３０３の第１固定板部３８１の先端部とねじ穴台２２４とに挟まれ、第１固定板部３８１とともにねじ穴台２２４に固定されている。
【０１８５】
アース板ばね６０４，６０５は、板ばねからなる。静電キー基板４０２は、ＡＡ側の端部に、２つのアース孔６０１，６０２を有している。アース板ばね６０４，６０５は、それぞれアース孔６０１，６０２に挿通されている。アース板ばね６０４，６０５の一端部は、それぞれ静電キー基板４０２の第１接地パターン４３０および第２接地パターン４４０と電気的に接続されている。一方、アース板ばね６０４，６０５の他端部は、アース板６０６にＣＣ側から弾性的に当接している。
【０１８６】
シールドプレート５０２と板金カバー５０４とが接触していることにより、シールドプレート５０２と板金カバー５０４とが電気的に導通している。また、付勢部材３０３の第２固定板部２８４とシールドプレート５０２の接続板５２０とが接続されることにより、付勢部材３０３とシールドプレート５０２とが電気的に導通している。付勢部材３０３の第１固定板部３８１とアース板６０６とが接続されることにより、付勢部材３０３とアース板６０６とが電気的に導通している。さらに、静電キー基板４０２の第１接地パターン４３０および第２接地パターン４４０とアース板６０６とは、それぞれアース板ばね６０４，６０５を介して、電気的に導通している。そのため、付勢部材３０３、シールドプレート５０２、板金カバー５０４、アース板６０６、アース板ばね６０４，６０５ならびに静電キー基板４０２の第１接地パターン４３０および第２接地パターン４４０は、すべて同電位となる。
【０１８７】
画像読取装置３の装置本体６は、図２０に示されるように、パネルカバー２０の４個の係止部２１９に対応して、４個の被係止部７０１を備えている。被係止部７０１は、装置本体６の上端部から前方に延出している。
【０１８８】
また、装置本体６は、パネルカバー２０の６個の係止部２２２に対応して、６個の被係止部７０２を備えている。被係止部７０２は、装置本体６の前端部から後方に延出している。
【０１８９】
操作パネル１０が装置本体６に取り付けられる際には、パネルカバー２０の各係止部２２２が装置本体６の被係止部７０２に係止される。その後、操作パネル１０は、被係止部７０２を支点として、パネルカバー２０の上端部２０Ｔが後方に移動するように回動される。操作パネル１０の回動が進むと、パネルカバー２０の各係止部２１９が装置本体６の被係止部７０１に上方から当接する。操作パネル１０がさらに回動されると、各係止部２１９が弾性変形し、各係止部２１９の先端部が被係止部７０１の下方に潜り込む。これにより、各係止部２１９が被係止部７０１に係止され、装置本体６への操作パネル１０の取付けが達成される。
【０１９０】
装置本体６は、金属からなる本体側アース板７０３を備えている。本体側アース板７０３は、装置本体６における操作パネル１０が取り外されることによって露出する部分に配置され、左右方向に延在されている。本体側アース板７０３は、接地されている。
【０１９１】
また、装置本体６は、２個のアースコイルばね７０４を備えている。各アースコイルばね７０４の一端部は、本体側アース板７０３に接続されている。そして、操作パネル１０が装置本体６に取り付けられた状態では、２個のアースコイルばね７０４の他端部は、それぞれ付勢部材３０３および板金カバー５０４に接続される。これにより、付勢部材３０３、シールドプレート５０２、板金カバー５０４、アース板６０６、アース板ばね６０４，６０５ならびに静電キー基板４０２の第１接地パターン４３０および第２接地パターン４４０は、アースコイルばね７０４を介して、本体側アース板７０３と電気的に導通する。その結果、付勢部材３０３、シールドプレート５０２、板金カバー５０４、アース板６０６、アース板ばね６０４，６０５ならびに静電キー基板４０２の第１接地パターン４３０および第２接地パターン４４０は、接地される。
【０１９２】
＜作用効果＞
【０１９３】
以上のように、タッチパネル３００を備える表示部３０５は、付勢部材３０３により、パネルカバー２０に向けて付勢される。付勢部材３０３は、板部３３０および延出部３６０を一体的に有している。板部３３０は、表示部３０５の操作面３０７Ｃと反対側の裏面に対して間隔を空けて配置される。延出部３６０は、板部３３０からＡＡ−ＢＢ方向に延出している。延出部３６０の先端部３６０Ｅは、表示部３０５をパネルカバー２０に向けて付勢する。
【０１９４】
延出部３６０の変形により、表示部３０５およびパネルカバー２０の各寸法誤差を吸収することができる。よって、タッチパネル３００とパネルカバー２０との隙間の寸法を適正範囲内に収めることができる。その結果、タッチパネル３００とパネルカバー２０との間に塵埃が進入することを抑制できる。また、タッチパネル３００の表面がパネルカバー２０によって押圧されることを抑制できる。
【０１９５】
延出部３６０と板部３３０とを別体とする構成が考えられる。しかしながら、板部３３０に対する延出部３６０の取付誤差などにより、延出部３６０の先端部３６０Ｅが表示部３０５を付勢する力にばらつきが生じる。延出部３６０が板部３３０と一体をなしているので、そのような取付誤差などに起因する付勢力のばらつきを抑制することができる。その結果、タッチパネル３００とパネルカバー２０との隙間の寸法を適正範囲内に良好に収めることができる。
【０１９６】
表示部３０５の裏面の周縁部には、延出部３６０の先端部３６０Ｅが入り込む凹部３２６が形成されている。
【０１９７】
この構成によれば、延出部３６０の先端部３６０Ｅが凹部３２６に入り込むことにより、延出部３６０の先端部３６０Ｅを表示部３０５の裏面における一定位置に当接させることができる。また、延出部３６０の先端部３６０Ｅが表示部３０５を付勢するときに、延出部３６０の先端部３６０Ｅが表示部３０５の裏面上で移動することを抑制できる。その結果、延出部３６０の先端部３６０Ｅにより、表示部３０５の一定位置を安定して付勢することができる。
【０１９８】
また、通常、タッチパネル３００の操作面３０７Ｃの周縁部は、操作者の指などによる押圧に対して反応しない。そのため、表示部３０５の裏面の周縁部が延出部３６０の先端部３６０Ｅで付勢されることにより、その付勢によるタッチパネル３００の誤作動を抑制することができる。
【０１９９】
付勢部材３０３は、板金からなり、延出部３６０は、板金が有する弾性により、先端部３６０Ｅでタッチパネル３００を弾性的に付勢する。
【０２００】
この構成によれば、延出部３６０の弾性変形により、表示部３０５およびパネルカバー２０の各寸法誤差を吸収することができる。
【０２０１】
延出部３６０の基端部は、延出部３６０の先端部３６０ＥよりもＡＡ−ＢＢ方向と直交するＥＥ−ＦＦ方向において幅広に形成されている。
【０２０２】
これにより、延出部３６０の基端部３６０Ｔに大きな強度を持たせることができる。その結果、延出部３６０の基端部３６０Ｔが折れ曲がることを抑制できる。
【０２０３】
付勢部材３０３は、通常状態で表示部３０５の裏面と非接触であり、表示部３０５が撓み変形した状態で、表示部３０５の裏面に当接する中央当接部３７１，３７２，３７３，３７４および周縁当接部３７５，３７６，３７７，３７８を有している。
【０２０４】
この構成によれば、表示部３０５に大きな負荷が加えられ、表示部３０５が撓み変形したときに、表示部３０５の裏面が中央当接部３７１，３７２，３７３，３７４および周縁当接部３７５，３７６，３７７，３７８に当接することにより、表示部３０５がそれ以上に撓み変形することを抑制できる。
【０２０５】
中央当接部３７１，３７２，３７３，３７４および周縁当接部３７５，３７６，３７７，３７８は、表示部３０５の裏面の中央部およびその周辺部にそれぞれ対向して配置されている。
【０２０６】
この構成によれば、表示部３０５の中央部に大きな負荷が加えられ、表示部３０５の中央部が撓み変形したときには、表示部３０５の裏面の中央部が中央当接部３７１，３７２，３７３，３７４に当接する。これにより、表示部３０５の中央部のそれ以上の撓み変形を抑制できる。また、表示部３０５の周辺部に大きな負荷が加えられ、表示部３０５の周辺部が撓み変形したときには、表示部３０５の裏面の周辺部が周縁当接部３７５，３７６，３７７，３７８に当接する。これにより、表示部３０５の周辺部のそれ以上の撓み変形を抑制できる。その結果、表示部３０５の全域における撓み変形を抑制できる。
【０２０７】
付勢部材３０３は、第１固定板部３８１、第１位置決め板部３８２、第２位置決め板部３８３および第２固定板部３８４を板部３３０と一体的に有している。第１位置決め板部３８２および第２位置決め板部３８３は、パネルカバー２０に係止される。第１固定板部３８１および第２固定板部３８４は、パネルカバー２０にねじ込まれるねじ３８０が挿通される。
【０２０８】
この構成によれば、第１位置決め板部３８２および第２位置決め板部３８３がパネルカバー２０に係止されることにより、付勢部材３０３をパネルカバー２０に対して位置決めすることができる。そして、第１固定板部３８１および第２固定板部３８４に挿通されたねじ３８０がパネルカバー２０にねじ込まれることにより、付勢部材３０３をパネルカバー２０に対して位置決めされた状態で固定することができる。
【０２０９】
パネルカバー２０は、表示部３０５と対向する位置決め面２３５，２３６，２３７を有している。一方、表示部３０５は、画像を表示するＬＣＤ３０２と、タッチパネル３００を保持する保持フレーム３０１とを備え、保持フレーム３０１は、位置決め面２３５，２３６，２３７にそれぞれ当接する位置決め部３１４，３１５，３１６を有している。
【０２１０】
この構成によれば、保持フレーム３０１の位置決め部３１４，３１５，３１６がそれぞれパネルカバー２０の位置決め面２３５，２３６，２３７に当接されるので、その当接によるパネルカバー２０の変形を抑制することができる。そのため、タッチパネル３００とパネルカバー２０との隙間の寸法を適正範囲内に一層良好に収めることができる。
【０２１１】
＜変形例＞
【０２１２】
以上、本発明の一実施形態について説明したが、本発明は、他の形態で実施することもできる。
【０２１３】
たとえば、前述の実施形態では、本発明に係る入力表示装置の一例としての操作パネル１０が複合機１に備えられた構成を取り上げた。しかしながら、本発明に係る入力表示装置は、複合機１以外にも、プリンタ、スキャナおよびファクシミリ装置などの画像処理装置に広く適用することができる。また、本発明に係る入力表示装置は、画像を処理する画像処理装置以外の電子機器にも適用することが可能である。
【０２１４】
たとえば、前述の実施形態では、電子写真方式が採用されていたが、インクジェット方式および電子写真方式のどちらを採用したものであってもよい。インクジェット方式では、供給カセット４から搬送されるシートに微滴化したインクが直接に噴射されることにより、シートに画像が形成される。
【０２１５】
その他、特許請求の範囲に記載された事項の範囲で種々の設計変更を施すことが可能である。
【符号の説明】
【０２１６】
１        複合機
１０      操作パネル
２０      パネルカバー
２０１    液晶開口
２３５    位置決め面
２３６    位置決め面
２３７    位置決め面
３００    タッチパネル
３０１    保持フレーム
３０２    ＬＣＤ
３０３    付勢部材
３０５    表示部
３０７Ｃ  操作面
３２６    凹部
３３０    板部
３６０    延出部
３６０Ｅ  先端部
３６０Ｔ  基端部
３７１    中央当接部
３７２    中央当接部
３７３    中央当接部
３７４    中央当接部
３７５    周縁当接部
３７６    周縁当接部
３７７    周縁当接部
３７８    周縁当接部
３８１    第１固定板部
３８２    第１位置決め板部
３８３    第２位置決め板部
３８４    第２固定板部
【図１】
2014026334.tif 000003
【図２】
2014026334.tif 000004
【図３】
2014026334.tif 000005
【図４】
2014026334.tif 000006
【図５】
2014026334.tif 000007
【図６】
2014026334.tif 000008
【図７】
2014026334.tif 000009
【図８】
2014026334.tif 000010
【図９】
2014026334.tif 000011
【図１０】
2014026334.tif 000012
【図１１】
2014026334.tif 000013
【図１２】
2014026334.tif 000014
【図１３】
2014026334.tif 000015
【図１４】
2014026334.tif 000016
【図１５】
2014026334.tif 000017
【図１６】
2014026334.tif 000018
【図１７】
2014026334.tif 000019
【図１８】
2014026334.tif 000020
【図１９】
2014026334.tif 000021
【図２０】
2014026334.tif 000022